(57)【要約】【課題】折畳み状態における高さを低くすることのできる折畳み容器を提供する。【解決手段】ボックスパレット１は、平面視略矩形状の底壁構成部２と、底壁構成部２の側辺部の上方に立設される相対する一対の第１側壁部１１、及び、一対の第１側壁部１１の側辺部間に配置される一対の第２側壁部２１とを備え、側壁部１１、２１は底壁構成部２の中央部側に折畳み可能である。第１側壁部１１は、内面の両側部から内方に突出する係止壁１４を備え、底壁構成部２に対して着脱可能に構成されるとともに、第１側壁部１１の両側部には、第１側壁部１１の厚み方向に貫通する係止収容部４１が設けられている。ボックスパレット１の折畳み状態において、一対の第１側壁部１１は、内面同士が対向するようにして上下に重なるとともに、係止壁１４が、相手側の第１側壁部１１の係止収容部４１に挿入される。【選択図】      図１１
2020019549.tif 000002
【特許請求の範囲】
【請求項１】
平面視略矩形状の底壁構成部と、
前記底壁構成部の各側辺部に対応して、前記底壁構成部の側辺部の上方に立設される起立姿勢と、前記底壁構成部の中央部側に寝かされる寝かせ姿勢との間を姿勢変化可能に設けられた側壁部とを備え、
全ての前記側壁部が前記起立姿勢とされた組立状態と、全ての前記側壁部が前記寝かせ姿勢とされた折畳み状態とに状態変化可能な折畳み容器において、
前記側壁部は、前記組立状態において相対する一対の第１側壁部と、前記一対の第１側壁部の側辺部間に配置される相対する一対の第２側壁部とを備え、
前記第１側壁部は、当該第１側壁部の内面の両側部から内方に突出する支持突部を備え、
前記組立状態において、前記第２側壁部の外面側が、前記第１側壁部の前記支持突部に当接、又は、近接する構成であって、
前記第１側壁部は、前記底壁構成部に対して着脱可能に構成され、
前記第１側壁部の両側部には、前記第１側壁部の厚み方向に貫通する支持収容部が、前記第１側壁部の高さ方向における前記支持突部の上方又は下方に位置するようにして設けられ、
前記折畳み状態において、
前記一対の第１側壁部同士が上下に重なり、
前記一対の第１側壁部のうち下側に配置される第１側壁部は、外面が下向きとなるように前記底壁構成部の上方に載置され、
前記一対の第１側壁部のうち上側に配置される第１側壁部は、外面が上向きとなるように前記底壁構成部の上方に載置され、
前記下側に配置される第１側壁部の前記支持突部が、前記上側に配置される第１側壁部の前記支持収容部に挿入され、
前記上側に配置される第１側壁部の前記支持突部が、前記下側に配置される第１側壁部の前記支持収容部に挿入されることを特徴とする折畳み容器。
【請求項２】
前記支持収容部は、前記第１側壁部の高さ方向における前記支持突部の下方であって、前記第１側壁部の側辺部の下端部を含む位置に設けられていることを特徴とする請求項１に記載の折畳み容器。
【請求項３】
前記底壁構成部は、当該底壁構成部の側辺部に沿って上方に突出し、前記起立姿勢にある前記第１側壁部と連結される第１土台部と、
前記第１土台部の内面の両側部から内方に突出する補助凸部とを備え、
前記折畳み状態において、一対の前記第１側壁部が、一対の前記第１土台部の間に設置されるとともに、前記第１側壁部のそれぞれが、前記第１土台部、及び、前記補助凸部と当接、又は、近接していることを特徴とする請求項１又は２に記載の折畳み容器。
【請求項４】
前記一対の第１側壁部は、互いに同一形状をなしていることを特徴とする請求項１乃至３のいずれかに記載の折畳み容器。
【発明の詳細な説明】
【技術分野】
【０００１】
本発明は、物品の運搬等に使用される折畳み容器に関するものである。
【背景技術】
【０００２】
従来、物品の運搬等に使用される容器として、平面視略矩形状の底壁構成部と、底壁構成部の各側辺部に対応して、底壁構成部の側辺部の上方に立設される起立姿勢と、底壁構成部の中央部側に寝かされる寝かせ姿勢との間を姿勢変化可能に設けられた側壁部とを備え、全ての側壁部が起立姿勢とされた組立状態と、全ての側壁部が寝かせ姿勢とされた折畳み状態とに状態変化可能な折畳み容器が知られている。また、側壁部は、折畳み容器の組立状態において相対する一対の第１側壁部と、一対の第１側壁部の側辺部間に配置される相対する一対の第２側壁部とを備えている。折畳み容器は、折畳み状態から組立状態とされる場合に、一対の第１側壁部を起立姿勢とすることで、第２側壁部を起立姿勢とすることが可能に構成されている。さらに、各第１側壁部には、両側部から内方に突出する支持突部が設けられており、折畳み容器の組立状態において、第２側壁部の外面側が、第１側壁部の支持突部に略当接して支持されるようになっている。
【０００３】
ところで、折畳み容器の折畳み状態において、第１側壁部同士が上下に重なる場合には、上側の第１側壁部の支持突部が、下側の第１側壁部の外面（上側を向いている面）に当接し、上側の第１側壁部の内面（下側を向いている面）と、下側の第１側壁部の外面との間に、支持突部の突出長と同じ距離の隙間が形成されてしまうことが懸念される。
【０００４】
これに対し、第１側壁部の外面側において、折畳み容器を折畳み状態とした場合に、上側の第１側壁部の支持突部が挿入される挿入凹部を設けるといった技術がある（例えば、特許文献１等参照。）。
【先行技術文献】
【特許文献】
【０００５】
【特許文献１】特開平７−８９５４６号公報
【発明の概要】
【発明が解決しようとする課題】
【０００６】
上記特許文献１の技術を採用することで、折畳み容器の折畳み状態において、一対の第１側壁部のうち下側に寝かせ姿勢とされている第１側壁部の外面（上面）と、上側に寝かせ姿勢とされている第１側壁部の内面（下面）との間の距離を比較的短くすることができ、結果として、折畳み容器の折畳み状態における高さを低くすることができる。しかしながら、折畳み容器の折畳み状態における運搬・保管効率に関して、更なる改善等が要望されているのも実状である。
【０００７】
本発明は、上記例示した問題点等を解決するためになされたものであって、その目的は、折畳み状態における高さを低くすることのできる折畳み容器を提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．平面視略矩形状の底壁構成部と、
前記底壁構成部の各側辺部に対応して、前記底壁構成部の側辺部の上方に立設される起立姿勢と、前記底壁構成部の中央部側に寝かされる寝かせ姿勢との間を姿勢変化可能に設けられた側壁部とを備え、
全ての前記側壁部が前記起立姿勢とされた組立状態と、全ての前記側壁部が前記寝かせ姿勢とされた折畳み状態とに状態変化可能な折畳み容器において、
前記側壁部は、前記組立状態において相対する一対の第１側壁部と、前記一対の第１側壁部の側辺部間に配置される相対する一対の第２側壁部とを備え、
前記第１側壁部は、当該第１側壁部の内面の両側部から内方に突出する支持突部を備え、
前記組立状態において、前記第２側壁部の外面側が、前記第１側壁部の前記支持突部に当接、又は、近接する構成であって、
前記第１側壁部は、前記底壁構成部に対して着脱可能に構成され、
前記第１側壁部の両側部には、前記第１側壁部の厚み方向に貫通する支持収容部が、前記第１側壁部の高さ方向における前記支持突部の上方又は下方に位置するようにして設けられ、
前記折畳み状態において、
前記一対の第１側壁部同士が上下に重なり、
前記一対の第１側壁部のうち下側に配置される第１側壁部は、外面が下向きとなるように前記底壁構成部の上方に載置され、
前記一対の第１側壁部のうち上側に配置される第１側壁部は、外面が上向きとなるように前記底壁構成部の上方に載置され、
前記下側に配置される第１側壁部の前記支持突部が、前記上側に配置される第１側壁部の前記支持収容部に挿入され、
前記上側に配置される第１側壁部の前記支持突部が、前記下側に配置される第１側壁部の前記支持収容部に挿入されることを特徴とする折畳み容器。
【００１０】
手段１によれば、折畳み容器の折畳み状態においては、一対の第１側壁部が、底壁構成部から取外され、互いに内面同士が向かい合わせとされるようにして、上下に重ねられている。さらに、各第１側壁部には、第１側壁部を厚み方向に貫通する支持収容部が設けられ、第１側壁部同士を前記のように重ねた場合には、一対の第１側壁部のそれぞれに関し、支持突部の少なくとも一部が、相手側の第１側壁部の支持収容部に収容されて、相手側の第１側壁部（本体部分）の厚みに収まるように構成されている。従って、一対の第１側壁部を重ねた場合の厚みを極力小さくすることができ、ひいては、折畳み状態における折畳み容器の高さを極力低くすることができる。結果として、折畳み容器の折畳み状態における運搬・保管効率の向上等を図ることができる。
【００１１】
また、支持収容部は、第１側壁部の厚み方向に貫通して設けられることで、第１側壁部同士を前記のように重ねた場合に、一対の支持突部の間に、相手側の第１側壁部のうち側部に支持収容部が形成された範囲を挿入させることができる（一対の第１側壁部の支持突部同士を極力近付けることができる）。従って、折畳み状態の折畳み容器を平面視した場合の一対の第１側壁部の面積を極力小さく構成する（底壁構成部から外方にはみ出さないように、底壁構成部の大きさに合わせる）こともでき、折畳み容器の折畳み状態における運搬・保管効率の向上、或いは、利便性の向上等を図ることができる。
【００１２】
手段２．前記支持収容部は、前記第１側壁部の高さ方向における前記支持突部の下方であって、前記第１側壁部の側辺部の下端部を含む位置に設けられていることを特徴とする手段１に記載の折畳み容器。
【００１３】
手段２によれば、第１側壁部の側辺部の上端部付近において支持収容部が形成されることを回避し、第１側壁部の側辺部の上端部付近に支持突部を設けることができる。従って、折畳み容器の組立状態において、第１側壁部の上部と、第２側壁部の上部との間の位置ずれ等をより確実に防止することができる。結果として、組立状態の折畳み容器を上下に積み重ねた状態（段積み状態）の安定化等を図ることができる。
【００１４】
手段３．前記底壁構成部は、当該底壁構成部の側辺部に沿って上方に突出し、前記起立姿勢にある前記第１側壁部と連結される第１土台部と、
前記第１土台部の内面の両側部から内方に突出する補助凸部とを備え、
前記折畳み状態において、一対の前記第１側壁部が、一対の前記第１土台部の間に設置されるとともに、前記第１側壁部のそれぞれが、前記第１土台部、及び、前記補助凸部と当接、又は、近接していることを特徴とする手段１又は２に記載の折畳み容器。
【００１５】
手段３によれば、折畳み容器の折畳み状態において、第１側壁部の脱落や、水平方向における位置ずれを防止することができる。
【００１６】
尚、「前記底壁構成部は、前記一対の第１土台部の両側部間に配置され、前記底壁構成部の側辺部に沿って上方に突出し、前記起立姿勢にある前記第２側壁部と連結される第２土台部を備え、前記折畳み状態において、前記一対の第２側壁部は、前記一対の第１側壁部の下方において、前記底壁構成部の上方に前記寝かせ姿勢とされ、前記一対の第１側壁部のうち下側に配置される第１側壁部は、前記寝かせ姿勢にある前記第２側壁部の上方を向いている面、及び、前記第２土台部の上面に当接して支持され、前記一対の第１側壁部のうち上側に配置される第１側壁部は、前記寝かせ姿勢にある前記第２側壁部の上方を向いている面、及び、前記第２土台部の上面に当接して支持されること」としてもよい。当該構成を採用することにより、折畳み容器の折畳み状態において第１側壁部をより安定して支持することができる。
【００１７】
手段４．前記一対の第１側壁部は、互いに同一形状をなしていることを特徴とする手段１乃至３のいずれかに記載の折畳み容器。
【００１８】
手段４によれば、例えば、一対の第１側壁部の形状が互いに異なる場合のように、一対の第１側壁部を寝かせ姿勢とする順番や、一対の第１側壁部の取付け位置を間違える等といった事態が生じることを回避することができる。従って、折畳み容器の組立や折畳みに際しての作業性の向上等を図ることができる。さらに、折畳み容器の生産性の向上、及び、製造コストの低減等を図ることができる。
【図面の簡単な説明】
【００１９】
【図１】組立状態にあるボックスパレットの斜視図である。
【図２】折畳み状態にあるボックスパレットの斜視図である。
【図３】組立状態と、折畳み状態との間を状態変化させる過程のボックスパレットを示す分解斜視図である。
【図４】折畳み状態にあるボックスパレットの一対の第１側壁部を上方に離間させた状態を示す分解斜視図である。
【図５】第１側壁部の内面側を示す斜視図である。
【図６】第１側壁部の外面側を示す斜視図である。
【図７】第２側壁部の外面側を示す斜視図である。
【図８】第２側壁部の内面側を示す斜視図である。
【図９】一対の第１側壁部を寝かせ姿勢として重ね合せた状態を示す斜視図である。
【図１０】一対の第１側壁部を寝かせ姿勢とした状態を示す斜視図である。
【図１１】折畳み状態にあるボックスパレットを示す一部断面を含む斜視図である。
【図１２】折畳み状態にあるボックスパレットを示す一部断面を含む斜視図である。
【図１３】折畳み状態にあるボックスパレット（図１１のボックスパレットに対し、一対の第２側壁部のうち上側に寝かせ姿勢とされている第２側壁部と、一対の第１側壁部のうち下側に寝かせ姿勢とされている第１側壁部との相対位置が異なる）を示す一部断面を含む斜視図である。
【図１４】別の実施形態におけるボックスパレットの運搬・保管方法を示す斜視図である。
【発明を実施するための形態】
【００２０】
以下に、一実施形態について図面を参照して説明する。図１〜図３に示すように、折畳み容器としてのボックスパレット１は、平面視略矩形状（略正方形状）の底壁部３と、底壁部３の相対する一対の側辺部に沿って底壁部３からそれぞれ上方に突出する第１土台部４と、前記一対の第１土台部４の両側部間に配置され、底壁部３から上方に突出する第２土台部５とを具備する底壁構成部２を備えている。本実施形態の底壁部３は、パレット形状をなしており、複数の支柱部６と、支柱部６の上端部間を連結する上デッキ部７とを備え、支柱部６同士の間には、ハンドリフトやフォークリフトのフォークを差込み可能なフォーク差込み部８が形成されている。
【００２１】
また、ボックスパレット１は、各第１土台部４に対してそれぞれ着脱自在に設けられた第１側壁部１１と、各第２土台部５に対してそれぞれ回動可能に設けられた第２側壁部２１とを備えている。第１側壁部１１、及び、第２側壁部２１は、それぞれ第１土台部４、及び、第２土台部５の上方に立設される起立姿勢と、底壁部３の上方に寝かされる寝かせ姿勢との間を姿勢変位可能に構成されている。さらに、第１土台部４の底壁部３からの突出長は、第２土台部５の底壁部３からの突出長よりも長くなっている。加えて、第１側壁部１１の横幅は、第１土台部４の長手方向における長さ（第１土台部４と対応する底壁構成部２の幅）とほぼ同じに構成され、第２側壁部２１の横幅は、一対の第１土台部４間の距離とほぼ同じに構成されている。
【００２２】
このため、本実施形態では、全ての第１側壁部１１、及び、第２側壁部２１が起立姿勢とされた組立状態（図１参照）にあるボックスパレット１を、全ての第１側壁部１１、及び、第２側壁部２１が寝かせ姿勢とされた折畳み状態（図２参照）とする場合には、図３に示すように、一対の第２側壁部２１を先に寝かせ姿勢としてから、第１側壁部１１を寝かせ姿勢とするようになっている。尚、詳しくは後述するが、本実施形態では、第１側壁部１１を、起立姿勢から寝かせ姿勢へと姿勢変化させる場合には、第１側壁部１１を底壁構成部２から一旦取り外し、第１側壁部１１の姿勢等を変更して、底壁構成部２（既に寝かせ姿勢とされている第２側壁部２１）の上方に載置するよう構成されている。
【００２３】
また、ボックスパレット１を折畳み状態から組立状態とする場合には、一対の第１側壁部１１を起立姿勢とすることで、第２側壁部２１を起立姿勢とすることが可能となっている。本実施形態では、一対の第１側壁部１１は、互いに同一形状をなし、一対の第２側壁部２１は、互いに同一形状をなしている。尚、本実施形態では、底壁構成部２、第１側壁部１１、及び、第２側壁部２１は、それぞれポリプロピレンにより構成されている。
【００２４】
図５、図６等に示すように、各第１側壁部１１は、正面視略矩形状の第１ベース部１２と、第１ベース部１２の下辺部から下方に突出する第１挿入部１３と、第１ベース部１２の内面の両側辺部から突出する支持突部としての係止壁１４とを備えている。係止壁１４は、第１ベース部１２の側辺部から内方に突出し、第１側壁部１１の高さ方向に延在する略矩形板状の係止板部１５と、係止板部１５のうち第１側壁部１１の横幅方向中央部側の面に連結された係止突部１６、及び、ロック係止部１７とを備えている。係止突部１６は、第１ベース部１２から内方（係止壁１４の突出方向先端側）に突出する第１片部と、第１辺部の先端部から上方に突出する第２片部とを備えて略Ｌ字状をなしている。ロック係止部１７は、第１ベース部１２から内方（係止壁１４の突出方向先端側）に突出して、当該突出方向先方側に開口する略四角筒状をなしている。本実施形態では、係止壁１４の第１ベース部１２からの突出長は、第１ベース部１２の厚みと同じとなっている。
【００２５】
また、本実施形態の係止板部１５は、第１ベース部１２の上端部から、第１ベース部１２の下端部付近にかけて延在するよう構成されている。さらに、係止突部１６は、各係止板部１５において、上下に互いに離間するようにして４箇所に設けられ、上から１番目の係止突部１６は、係止板部１５の上端部に設けられている。また、上から１番目の係止突部１６と、上から２番目の係止突部１６との間に、ロック係止部１７が設けられるようになっている。加えて、係止板部１５の上辺部から第１側壁部１１の横幅方向中央部側に突出する係止上辺凸部１８が設けられている。本実施形態では、係止上辺凸部１８と、上から一番目の係止突部１６とが一体的に構成されている上、係止上辺凸部１８の上面が第１側壁部１１（第１ベース部１２）の上面と面一となっている。
【００２６】
また、本実施形態では、各第１側壁部１１の第１ベース部１２の下辺部において、互いに所定間隔を隔てて３箇所に第１挿入用凹部１９が設けられており、当該第１挿入用凹部１９の横幅方向中央部において前記第１挿入部１３が設けられている。第１挿入部１３は、その大部分が第１挿入用凹部１９に収容され、下端部を含む部位が第１挿入用凹部１９（第１ベース部１２の下辺部）よりも下方に突出している。さらに、各第１挿入部１３は、当該第１挿入部１３の側面の下端部から側方に突出する挿入突部２０を備えている。各第１挿入部１３の外面は、挿入突部２０の外面も含め、第１側壁部１１（第１ベース部１２）の外面よりも内側に位置している。一方、第１挿入部１３の内面は、第１側壁部１１の内面と面一とされ、挿入突部２０の内面は、第１側壁部１１の内面よりも外側に位置している。
【００２７】
図７、図８等に示すように、各第２側壁部２１は、正面視略矩形状の第２ベース部２２と、第２ベース部２２の下辺部から下方に突出する第２挿入部２３とを備えている。第２挿入部２３は、第２側壁部２１の下辺部において、互いに所定間隔を隔てて３箇所に設けられている。第２挿入部２３の内面は、第２側壁部２１（第２ベース部２２）の内面と面一であり、第２挿入部２３の外面は、第２側壁部２１の外面よりも内側に位置している。
【００２８】
また、第２ベース部２２の外面側の両側部には、ボックスパレット１の組立状態において、第１側壁部１１の係止壁１４と当接して支持される被係止構成部２４が設けられている。被係止構成部２４は、第２ベース部２２の外面側の肉厚が省略される格好で薄肉化された被係止板部２５と、被係止板部２５の外面から突出する被係止突部２６とを備えている。尚、被係止突部２６は、第２側壁部２１の横幅方向における側方に延びる第１片部と、第１辺部の側端部から上方に延びる第２片部とを備えて略Ｌ字状をなしている。
【００２９】
さらに、図７に示すように、各第２側壁部２１の外面側の上部の両側部近傍部位には、ボックスパレット１の組立状態において、第２側壁部２１と、第１側壁部１１との間を連結するためのロック部材２７が装着されている。各ロック部材２７は、第２側壁部２１の外面側から操作可能、かつ、左右にスライド変位可能に構成され、ロック部材２７が側方に変位させられることで、ロック部材２７が被係止構成部２４に突出するようになっている。
【００３０】
そして、図１に示すように、第１側壁部１１、及び、第２側壁部２１を起立姿勢とすることで、第２側壁部２１の被係止構成部２４の外面（図７参照）が、第１側壁部１１の係止壁１４（図５参照）に略当接（当接、又は、近接）し、第１側壁部１１の係止突部１６と、第２側壁部２１の被係止突部２６とが係止状態とされるとともに、ロック部材２７を側方にスライドさせることで、ロック部材２７がロック係止部１７に挿入される（係止状態とされる）ようになっている。これにより、第２側壁部２１の内方への変位が防止され、ボックスパレット１の組立状態が保持されるようになっている。尚、被係止構成部２４の被係止板部２５は、係止壁１４の係止上辺凸部１８との干渉を避けるべく、第２ベース部２２の上辺部よりも一段低く構成され、ボックスパレット１の組立状態において、被係止板部２５の上辺部が、係止上辺凸部１８の下面と略当接するようになっている。
【００３１】
また、第１側壁部１１の上面側、及び、第２側壁部２１の上面側には、第１ベース部１２の上面、及び、第２ベース部２２の上面から上方に突出する段積み用凸部２８が設けられている。これに対し、底壁構成部２の下面側にはボックスパレット１を組立状態として上下に重ねた（段積みした）場合に、下側のボックスパレット１の段積み用凸部２８が挿入される段積み用凹部２９が設けられている。
【００３２】
図２〜図４等に示すように、底壁構成部２の第１土台部４の上面側には、上方に突出する第１土台突部３１が、第１側壁部１１の第１ベース部１２の下辺部に設けられた第１挿入用凹部１９に対応するようにして３箇所に設けられている。各第１土台突部３１には、横幅方向中央部において上方に開口し、第１側壁部１１の第１挿入部１３を挿入可能とする第１被挿入部３２が設けられている。図１、図３等に示すように、本実施形態では、第１側壁部１１を起立姿勢として上方から第１挿入部１３を第１被挿入部３２に挿入することで、第１土台突部３１が、第１挿入用凹部１９に挿入されるようになっている。尚、第１被挿入部３２のうち、挿入突部２０を除く第１挿入部１３の内面に対応する部位は、内方にも開口している。
【００３３】
また、図２に示すように、ボックスパレット１の折畳み状態においては、第１土台突部３１が、寝かせ姿勢とされた第１側壁部１１よりも上方に突出するようになっている。本実施形態では、折畳み状態にあるボックスパレット１同士を段積みする場合に、下側のボックスパレット１の第１土台突部３１が、上側のボックスパレット１の底壁構成部２の段積み用凹部２９に挿入されるようになっている。
【００３４】
図３等に示すように、第２土台部５には、上方に開口し、第２側壁部２１の第２挿入部２３を挿入可能とする第２被挿入部３３が設けられている。第２被挿入部３３は、第２側壁部２１に設けられた３つの第２挿入部２３に対応して３箇所に設けられている。また、第２被挿入部３３は内方にも開口しており、第２挿入部２３を第２被挿入部３３に挿入した状態のまま、第２側壁部２１の回動変位が許容されるようになっている。尚、第２挿入部２３には、側面下部から側方に突出する軸部が設けられ、第２被挿入部３３には、軸部を軸支する軸受部が設けられることとしてもよい。
【００３５】
加えて、底壁構成部１は、第１土台部４の両端部から第２土台部５の上方に突出し、第２土台部５の上面側と連結された補助凸部３４を備えている。補助凸部３４の上面は、第１土台部４の上面と面一とされている。さらに、本実施形態の補助凸部３４の厚みは、第２土台部５の厚みよりも若干小さく構成されており、補助凸部３４の外面は、第２土台部５の外面と面一であるのに対し、補助凸部３４の内面は、第２土台部５の内面よりも外方に位置している（補助凸部３４よりも内方において第２土台部５の上面が残存するようになっている）。加えて、補助凸部３４の突出方向先端側の下部には、補助切欠き部３５が設けられている。
【００３６】
これに対し、図１、図７に示すように、第２側壁部２１の外面側には、補助凸部３４に対応した形状の補助許容凹部３６が設けられ、第２側壁部２１が起立姿勢とされた場合に、底壁構成部２の補助凸部３４が補助許容凹部３６に収容されるようになっている。これにより、第２側壁部２１の側部の下部と、補助凸部３４とが、上下方向において係止状態とされる。
【００３７】
また、図３等に示すように、本実施形態では、一対の第２土台部５間の距離は、第２側壁部２１（第２ベース部２２）の上下幅（高さ）の２倍の長さよりも短くなっている。さらに、図１２に示すように、第２土台部５の底壁部３からの突出長は、第２側壁部２１（第２ベース部２２）の厚みの２倍の長さとほぼ同じとされている上、第２挿入部２３の一部を第２被挿入部３３に挿入した状態のまま、上下に第２ベース部２２の厚みよりも長い距離をスライド可能に構成されている。このため、一対の第２側壁部２１を寝かせ姿勢とした状態（ボックスパレット１の折畳み状態）では、一対の第２側壁部２１同士が上下に重なるように構成されている。
【００３８】
また、図３等に示すように、一対の第１土台部４間の距離は、第１側壁部１１（第１ベース部１２）の上下幅（高さ）の２倍の長さよりも短くなっている。さらに、図２、図１２等に示すように、第１土台部４の底壁部３からの突出長は、第２側壁部２１（第２ベース部２２）の厚みの２倍の長さと、第１側壁部１１（第１ベース部１２）の厚みの２倍の長さとを足した長さとほぼ同じとされている。但し、第１被挿入部３２は、第１挿入部１３の一部を第１挿入部に挿入した状態のまま、上下に第１ベース部１２の厚みよりも長い距離を変位させることは不可能に構成されている。加えて、本実施形態では、一対の第１土台部４間の距離は、第１側壁部１１の横幅とほぼ同じ（第１側壁部１１の横幅よりも若干短い）となっている。
【００３９】
さて、上記のように、本実施形態の第１側壁部１１は、底壁構成部２に対して着脱可能に構成されている。また、図５等に示すように、第１側壁部１１の両側部の下端部を含む位置には、第１側壁部１１の厚み方向に貫通する支持収容部としての係止収容部４１が設けられている。本実施形態の係止収容部４１は、係止壁１４の下方の範囲全体が切欠かれるようにして設けられている。すなわち、係止収容部４１は、係止壁１４の下端部と連続し、下方や側方にも開口するとともに、第１側壁部１１の横幅方向において、係止突部１６やロック係止部１７を含む係止壁１４の厚みとほぼ同じ幅（係止収容部４１の方が若干大きい）を有している。
【００４０】
そして、ボックスパレット１を折畳み状態とする場合には、図３に示すように、先に一対の第２側壁部２１を寝かせ姿勢とした後、一方の第１側壁部１１を底壁構成部２から取外し、その外面が下向きとされ、かつ、第１側壁部１１の高さ方向が第１土台部４の長手方向に沿って延在する向きで、底壁構成部２の上方（既に寝かせ姿勢とされている第２側壁部２１の上方）に載置する（図２、図４参照）。続いて、図２に示すように、他方の第１側壁部１１を底壁構成部２から取外し、その外面が上向きとされ、かつ、第１側壁部１１の高さ方向が第１土台部４の長手方向に沿って延在する向きで、底壁構成部２の上方（既に寝かせ姿勢とされている第１側壁部１１及び第２側壁部２１の上方）に載置する。
【００４１】
このとき、図４、図９〜図１１に示すように、一対の第１側壁部１１のうち、下側に配置される第１側壁部１１の係止壁１４が、上側に配置される第１側壁部１１の係止収容部４１に挿入され、かつ、上側に配置される第１側壁部１１の係止壁１４が、下側に配置される第１側壁部１１の係止収容部４１に挿入されるように設置する。これにより、第１側壁部１１のうち両側部に係止収容部４１が形成されている部位が、相手側の第１側壁部１１の一対の係止壁１４の間に挿入されるようにして、上下に重ねられた一対の第１側壁部１１の第１ベース部１２同士が上下に略当接（当接、又は、近接）するとともに、第１土台部４の長手方向において、係止壁１４の下辺部が、相手側の第１側壁部１１（係止収容部４１の上縁部）と略当接するようになっている。
【００４２】
また、上記のように、係止壁１４の第１ベース部１２からの突出長は、第１ベース部１２の厚みと同じである。このため、図９、図１１に示すように、ボックスパレット１の折畳み状態では、下側に配置される第１側壁部１１の外面（下側を向く面）と、上側に配置される第１側壁部１１の係止壁１４の先端面（下側を向く面）とが略面一となり、上側に配置される第１側壁部１１の外面（上側を向く面）と、下側に配置される第１側壁部１１の係止壁１４の先端面（上側を向く面）とが略面一となっている。
【００４３】
さらに、図２等に示すように、ボックスパレット１の折畳み状態においては、各第１側壁部１１の両側辺部（及び、係止壁１４の外面）が、それぞれ第１土台部４の内面と略当接し（当接、又は、近接）し、各第１側壁部１１の上辺部の両側部が、それぞれ補助凸部３４と略当接するように構成されている。尚、上下に重ねられた一対の第１側壁部１１の重なり合う面積が増える方向への変位は、係止壁１４の下辺部が、相手側の第１側壁部１１と当接することで規制されるようになっている（図９、図１０参照）。
【００４４】
加えて、図２、図１１、図１２に示すように、ボックスパレット１の折畳み状態においては、一対の第１側壁部１１のうち下側に配置される第１側壁部１１は、第２側壁部２１の外面（上側を向く面）と当接するだけでなく、第２土台部５の上面とも当接し、支持されるように構成されている。さらに、上側に配置される第１側壁部１１についても、第２側壁部２１の外面、及び、第２土台部５の上面（並びに、下側に配置される第１側壁部１１の第１ベース部１２のうち上側を向いている内面）に当接し、支持されるように構成されている。
【００４５】
より具体的には、上記のように、補助凸部３４の厚みは、第２土台部５の厚みよりも薄く、補助凸部３４よりも内方において、第２土台部５の上面が残存する上、上下に重ねられた一対の第１側壁部１１のうち第１土台部４の長手方向における長さは、第１土台部４の両端部に設けられた（第１土台部４の長手方向において対向する）一対の補助凸部３４間の距離とほぼ同じ（それよりも若干短い）となっている。このため、下側に配置される第１側壁部１１に関しては、外面の上辺部近傍部位、及び、段積み用凸部２８が、第２土台部５の上面に載置されるようになっている。また、上側に配置される第１側壁部１１に関しては、係止壁１４の突出方向先端面において、寝かせ姿勢とされている第２側壁部２１の外面と、第２土台部５の上面とに当接するようになっている。
【００４６】
尚、図１１に示すように、ボックスパレット１の折畳み状態において、一対の第１側壁部１１のうち下側に配置される第１側壁部１１が、一対の第２側壁部２１のうち上側に配置された第２側壁部２１が連結されている第２土台部５とは異なる第２土台部５に載置される場合だけでなく、図１３に示すように、下側に配置される第１側壁部１１が、上側に配置される第２側壁部２１が連結されている第２土台部５に載置される場合においても、上側に配置される第１側壁部１１は、上側に配置される第２側壁部２１に対し（接触面積は減るものの）当接して支持されるようになっている。
【００４７】
以上詳述したように、本実施形態によれば、ボックスパレット１の折畳み状態においては、一対の第１側壁部１１が、底壁構成部２から取外され、互いに内面同士が向かい合わせとされるようにして、上下に重ねられている。さらに、各第１側壁部１１には、第１側壁部１１を厚み方向に貫通する係止収容部４１が設けられ、第１側壁部１１同士を前記のように重ねた場合には、一対の第１側壁部１１のそれぞれに関し、係止壁１４が、相手側の第１側壁部１１の係止収容部４１に収容されて、相手側の第１側壁部１１（第１ベース部１２）の厚みに収まるように構成されている。従って、一対の第１側壁部１１を重ねた場合の厚みを極力小さくすることができ、ひいては、折畳み状態におけるボックスパレット１の高さを極力低くすることができる。結果として、ボックスパレット１の折畳み状態における運搬・保管効率の向上等を図ることができる。
【００４８】
また、係止収容部４１は、第１側壁部１１の厚み方向に貫通して設けられることで、第１側壁部１１同士を前記のように重ねた場合に、一対の係止壁１４の間に、相手側の第１側壁部１１（第１ベース部１２）のうち両側部に係止収容部４１が形成された範囲を挿入させることができる（一対の第１側壁部１１の係止壁１４同士を極力近付けることができる）。従って、折畳み状態のボックスパレット１を平面視した場合の一対の第１側壁部１１の面積を極力小さく構成する（底壁構成部２から外方にはみ出さないように、底壁構成部２の大きさに合わせる）こともでき、ボックスパレット１の折畳み状態における運搬・保管効率の向上、或いは、利便性の向上等を図ることができる。
【００４９】
さらに、係止収容部４１は、第１側壁部１１の高さ方向における係止壁１４の下方であって、第１側壁部１１の側辺部の下端部を含む位置に設けられている。このため、第１側壁部１１の側辺部の上端部付近において係止収容部４１が形成されることを回避し、第１側壁部１１の側辺部の上端部に係止壁１４を設けることができる。従って、ボックスパレット１の組立状態において、第１側壁部１１の上部と、第２側壁部２１の上部との間の位置ずれ等をより確実に防止することができる。結果として、組立状態にあるボックスパレット１の段積み状態の安定化等を図ることができる。
【００５０】
また、ボックスパレット１の折畳み状態において、各第１側壁部１１が、一対の第１土台部４の間に設置されるとともに、第１土台部４、及び、補助凸部３４と当接、又は、近接するように構成されている。このため、ボックスパレット１の折畳み状態において、第１側壁部１１の脱落や、水平方向における位置ずれを防止することができる。
【００５１】
さらに、ボックスパレット１の折畳み状態において、一対の第１側壁部１１のうち下側に配置される第１側壁部１１、及び、上側に配置される第１側壁部１１のどちらについても、寝かせ姿勢にある第２側壁部２１の上方を向いている面、及び、第２土台部５の上面に当接して支持されるようになっている。このため、ボックスパレット１の折畳み状態において第１側壁部１１をより安定して支持することができる。
【００５２】
加えて、一対の第１側壁部１１は、互いに同一形状をなしている。このため、例えば、一対の第１側壁部１１の形状が互いに異なる場合のように、一対の第１側壁部１１を寝かせ姿勢とする順番や、一対の第１側壁部１１の取付け位置を間違える等といった事態が生じることを回避することができる。従って、ボックスパレット１の組立や折畳みに際しての作業性の向上等を図ることができる。さらに、ボックスパレット１の生産性の向上、及び、製造コストの低減等を図ることができる。
【００５３】
尚、上記実施形態の記載内容に限定されず、例えば次のように実施してもよい。勿論、以下において例示しない他の応用例、変更例も当然可能である。
【００５４】
（ａ）上記実施形態では、各第２側壁部２１が底壁構成部２に対して回動変位可能に連結されているが、例えば、第１側壁部１１のように、起立姿勢と、寝かせ姿勢との間で姿勢を変化させる場合には、第２側壁部２１を底壁構成部２から取外すように構成してもよい。
【００５５】
（ｂ）また、上記実施形態では、ボックスパレット１の折畳み状態において、一対の第２側壁部２１を寝かせ姿勢とし、その上方に一対の第１側壁部１１を寝かせ姿勢として重ねるように構成されているが、例えば、第２側壁部２１を底壁構成部２から取外し、底壁構成部２の底壁部３に対して寝かせ姿勢とされた一対の第１側壁部１１を直接載置する（例えば、第２土台部５の上面を底壁部３の上面と面一とすれば設置可能）ように構成してもよい。この場合、底壁構成部２（第１土台部４）の高さを極力低く構成することができ、折畳み状態におけるボックスパレット１の運搬・保管効率の向上を図ることができる。尚、当該構成を採用する場合には、図１４に示すように、底壁構成部２から取外された第２側壁部２１を、組立状態にある所定のボックスパレット１にまとめて収容して運搬・保管することが考えられる。
【００５６】
（ｃ）上記実施形態では、底壁構成部２がパレット形状をなしているが、例えば、フォーク差込み部８を有していない底壁構成部を備え、第１側壁部１１についても、第１土台部４に対して回動変位可能に連結された折畳み容器に具体化することとしてもよい。
【００５７】
（ｄ）また、係止壁１４や被係止構成部２４の具体的な構成や形成位置・形成範囲等についても特に限定されるものではなく、第１側壁部１１の係止壁１４が第２側壁部２１の外面側を支持することができるように構成されていればよい。尚、係止収容部４１については、ボックスパレット１の折畳み状態において、係止壁１４と上下に重なる範囲に形成されていればよく、第１側壁部１１の高さ方向において、係止壁１４の上方位置や、上下に係止壁１４が複数設けられた場合の係止壁１４の間の位置に係止収容部４１が設けられてもよい。
【００５８】
（ｅ）上記実施形態では、ボックスパレット１の折畳み状態において、一対の第１側壁部１１は、第１側壁部１１の高さ（上下幅）方向が、第１土台部４の長手方向に延在するようにして載置されるように構成されているが、高さ方向が第２土台部５の長手方向に延在するようにして載置されるように構成してもよい。但し、第１側壁部１１の高さ方向が、第１土台部４の長手方向に延在するようにして第１側壁部１１を第２側壁部２１の上方に載置することで、第１側壁部１１の両側部の上部に切欠き等を設けなくても（上端部に係止壁１４を設けても）、４つの補助凸部３４の間に、寝かせ姿勢とされた一対の第１側壁部１１を収めることができる。
【００５９】
（ｆ）上記実施形態では、ボックスパレット１はポリプロピレンにより構成されているが、ポリエチレン、ＰＥＴ、ポリアミド等その他の樹脂材料により構成されることとしてもよい。
【符号の説明】
【００６０】
１…ボックスパレット、２…底壁構成部、３…底壁部、４…第１土台部、５…第２土台部、１１…第１側壁部、１４…係止壁、２１…第２側壁部、３４…補助凸部、４１…係止収容部。
【図１】
2020019549.tif 000003
【図２】
2020019549.tif 000004
【図３】
2020019549.tif 000005
【図４】
2020019549.tif 000006
【図５】
2020019549.tif 000007
【図６】
2020019549.tif 000008
【図７】
2020019549.tif 000009
【図８】
2020019549.tif 000010
【図９】
2020019549.tif 000011
【図１０】
2020019549.tif 000012
【図１１】
2020019549.tif 000013
【図１２】
2020019549.tif 000014
【図１３】
2020019549.tif 000015
【図１４】
2020019549.tif 000016